(57)【要約】【課題】シートに対する押圧及び切断機能により、軽快な操作で簡単にきれいな円形の穴（開口部）を形成することができる野菜栽培用マルチシートの円形穴あけ器を提供する。【解決手段】この円形穴あけ器は、金属製の刃付円筒部１及び内部押え台座２を備え、刃付円筒部１の円形の下端周縁５には切断用焼き入れ刃加工が施されている。内部押え台座２は、刃付円筒部１内に上下動可能に取り付けられ、刃付円筒部１内では上部から押しバネにより下向きの力が加えられる。また、内部押え台座２は、下側が凹んでおり、円形状の周縁部６が下向きに形成される。この円形穴あけ器は、さらに、刃付円筒部１の外側に載置される外部押え具を備え、外部押え具は、矩形の板状体の中央に、刃付円筒部１を配置するための中空部が形成されている。この円形穴あけ器の使用時は、畝に敷設されたマルチシートに対して内部押え台座２で押圧しつつ刃付円筒部１を回転させて穴をあける。【選択図】図１
0003198510.tif 000002
【実用新案登録請求の範囲】
【請求項１】
円形の下端周縁に切断用焼き入れ刃加工が施された金属製の刃付円筒部と、刃付円筒部内に上下動可能に取り付けられ、刃付円筒部内では上部から押しバネにより下向きの力が加えられる内部押え台座とを具備することを特徴とする野菜栽培用マルチシートの円形穴あけ器。
【請求項２】
内部押え台座は、下面が凹んだ椀状を呈し、円形状の周縁部に下向きに形成されることを特徴とする請求項１に記載の野菜栽培用マルチシートの円形穴あけ器。
【請求項３】
さらに、矩形の板状体の中央に、刃付円筒部を配置するための中空部が形成された外部押え具を具備することを特徴とする請求項１又は２に記載の野菜栽培用マルチシートの円形穴あけ器。
【考案の詳細な説明】
【技術分野】
【０００１】  この考案は、野菜栽培用マルチシートの円形穴あけ器に関する。
【背景技術】
【０００２】  野菜栽培においてマルチシートを使用する方法は一般的に採用されており、雑草等が生えるのを抑制する効果がある。この場合、野菜栽培の畝にマルチシートを施しマルチシートに円形の穴（開口部）を形成して種子や苗等を土壌に定植するようにしているが、野菜の種類や育成方法に応じて穴の大きさや間隔等を考慮し、適切な大きさや間隔を持つ穴をマルチシートにあける必要がある。【０００３】  従来より、野菜栽培用マルチシートに多数の穴あけを施しうる技術としては、特許文献１及び特許文献２に示されるように、穴あけ用の器具を野菜栽培用マルチシートに押圧して切断することで穴あけをするものがある。しかしながら、押圧のみに頼っているので、柔軟なマルチシートを円滑に切断してマルチシートにきれいな円形の穴を形成することができない。また、元々穴（開口部）が付いたマルチシートも市販されているが、汎用性が乏しく色々な野菜栽培に応じることができないのが現状である。【０００４】  従って、マルチシートに穴（開口部）を設けるに当たり、負担や経費を掛けることなく簡単に、任意の大きさ及び任意の間隔で、きれいに穴あけをすることができる技術が待たれている。
【先行技術文献】
【特許文献：実用新案文献】
【０００５】
【特許文献１】特開２００６−１４６４６号公報
【特許文献２】特開平８−２８９６７２号公報
【実用新案文献１】
実用新案登録３１２９７６６号公報
【実用新案文献２】
実用新案登録３１６３６９８号公報
【実用新案文献３】
実用新案登録３１２４７７３号公報
【考案の概要】
【考案が解決しようとする課題】
【０００６】  この考案は、畑の畝等に敷設された野菜栽培用マルチシートに対して、シート押圧機能と切断機能により、軽快な操作で簡単にきれいな円形の穴（開口部）を形成することができるようにした野菜栽培用マルチシートの円形穴あけ器を提供することを目的とする。
【課題を解決するための手段】
【０００７】  この考案の主たる特徴によれば、円形の下端周縁（５）に切断用焼き入れ刃加工が施された金属製の刃付円筒部（１）と、刃付円筒部（１）内に上下動可能に取り付けられ、刃付円筒部（１）内では上部から押しバネ（１３）により下向きの力が加えられる内部押え台座（２，１８，２３）とを具備する野菜栽培用マルチシートの円形穴あけ器〔請求項１〕が提供される。なお、括弧書きは、理解の便のために付記下実施例の参照記号、参照箇所乃至用語であり、以下においても同様である。【０００８】  この考案による野菜栽培用マルチシートの円形穴あけ器において、内部押え台座（２，１８，２３）は、下面が凹んだ椀状を呈し、円形状の周縁部（６）が下向きに形成されるように構成することができる〔請求項２〕。【０００９】  この考案による野菜栽培用マルチシートの円形穴あけ器は、さらに、矩形の板状体（２４，２８）の中央に、刃付円筒部（１）を配置するための中空部（２５）が形成された外部押え具（図５、図６）を具備するように構成することができる〔請求項３〕。
【考案の効果】
【００１０】  この考案の主たる特徴による野菜栽培用マルチシートの円形穴あけ器は（請求項１）、金属製の刃付円筒部（１）及び内部押え台座（２，１８，２３）を備え、刃付円筒部（１）は、シート切断機能を有し、円形の下端周縁（５）に切断用焼き入れ刃加工が施されて刃先が形成され、内部押え台座（２，１８，２３）は、シート押圧機能を有し、刃付円筒部（１）内に上下動可能に取り付けられ、刃付円筒部（１）内では上部から押しバネ（１３）により下向きの力が加えられる。そこで、使用者が、この円形穴あけ器を、畑の畝等に敷設された野菜栽培用マルチシート（２７）上に載置し、刃付円筒部（１）を軽く押しながら回転させると、マルチシート（２７）は、円筒部（１）の中に収められた押しバネ（１３）の応力に基づく内部押え台座（２，１８，２３）のシート押圧機能によって、円筒部（１）の内側に対応する円形の領域が押さえられた状態で、刃付円筒部（１）の回転に基づく刃先（５）のシート切断機能によって、押さえられた円形領域の直ぐ外側が円状にきれいに切断される。
従って、この考案によれば、畑の畝等に敷設された野菜栽培用マルチシートに対して、押圧機能と切断機能により、軽快な操作で簡単にきれいな円形の穴（開口部）を形成することができる。【００１１】  この考案による野菜栽培用マルチシートの円形穴あけ器では、内部押え台座（２，１８，２３）は、下面が凹んだ椀状を呈しており、円形状の周縁部（６）が下向きに形成されるような構造になっている（請求項２）。このような構造によると、使用者が刃付円筒部（１）を押しながら回転させたとき、内部押え台座（２，１８，２３）の周縁部（６）でマルチシート（２７）をしっかりと押えた状態で、押さえられた直ぐ外側が、刃付円筒部（１）の下端周縁にある刃先（５）の回転によって、円状にきれいに切断される。そして、穴あけを終えて円形穴あけ器を持ち上げたとき、円形に切断されたマルチシート（２７）の下面には土壌（３１）が付着しない。また、土壌（３１）が付着したとしても、周縁部（６）に対応する最外縁に付着するだけで、このように線状に付着した土壌（３１）は、例えば、穴あけ器本体を軽く振る等の方法で、容易に除去することができる。
従って、この考案によれば、野菜栽培用マルチシートに、軽快な操作で簡単にきれいな円形の穴（開口部）を形成するだけでなく、穴あけ終了時に切断された円形マルチシートの下面に付着する土壌を容易に除去することができる。【００１２】  この考案による野菜栽培用マルチシートの円形穴あけ器では、さらに、矩形の板状体（２４，２８）の中央に、刃付円筒部（１）を配置するための中空部（２５）が形成された外部押え具（図５、図６）を備えることにより（請求項３）、さらに、板状体（２４，２８）を手で押さえることに基づくシート押圧機能（外側押圧機能）及び板状体（２４，２８）の矩形サイズに基づく定規機能を利用することができる。つまり、この円形穴あけ器を使用する際は、まず、外部押え具（図５、図６）を野菜栽培用マルチシート（２７）上に載置し、次いで、刃付円筒部（１）を中空部（２５）に差し込んで軽く押しながら回転させると、マルチシート（２７）は、内部押え台座（２，１８，２３）及び外部押え具（図５、図６）によって刃付円筒部（１）の内側及び外側が押えられた状態で、刃付円筒部（１）の刃先（５）の回転によって円状にきれいに切断される。また、外部押え具（図５、図６）は、等間隔に穴あけをするための定規機能を有し、一つの穴あけを終えると穴あけを終えた穴に隣接して、外部押え具（図５、図６）をマルチシート（２７）上に載置し、同様の作業を行うことにより、外部押え具（図５、図６）の矩形サイズに見合った一定の間隔で穴あけをすることができる。
従って、この考案によれば、野菜栽培用マルチシートに対して、切断しようとする部位の両側を押さえつつ切断を行うことにより、よりきれいな円形の穴（開口部）を形成するだけでなく、外部押え具の定規機能により、等間隔に穴あけをすることができる。
【図面の簡単な説明】
【００１３】
【図１】この考案の一実施例による野菜栽培用マルチシートの円形穴あけ器における穴あけ器本体を示す斜視図である。
【図２】この考案の一実施例による野菜栽培用マルチシートの円形穴あけ器における穴あけ器本体の内部押え機構を示す斜視図である。
【図３】この考案の一実施例による野菜栽培用マルチシートの円形穴あけ器における穴あけ器本体の内部押え機構の組立て方法を説明するための斜視図である。
【図４】この考案の一実施例による野菜栽培用マルチシートの円形穴あけ器における穴あけ器本体の内部押え機構要部の加工方法を説明するための斜視図である。
【図５】この考案の一実施例による野菜栽培用マルチシートの円形穴あけ器における外部押え具を上側（表面側）から見た斜視図である。
【図６】この考案の一実施例による野菜栽培用マルチシートの円形穴あけ器における外部押え具を下側（裏面側）から見た斜視図である。
【図７】この考案の一実施例による野菜栽培用マルチシートの円形穴あけ器の一使用態様を説明するための畝の上面図である。
【図８】この考案の一実施例による野菜栽培用マルチシートの円形穴あけ器の使用状態における断面概略図である。
【考案を実施するための形態】
【００１４】  この考案の一実施形態による野菜栽培用マルチシートの円形穴あけ器では、畑の畝等に施されたマルチシートに開口部を設けるに当たり、従来の公知技術とは異なり、上下動押圧切断や過熱による方法を採用せず、基本的に、下端周縁に刃先が形成された手動回転可能な金属製の刃付円筒部と、押しバネで押圧される金属製の内部押え台座とを備えた穴あけ器本体で構成される。この円形穴あけ器を使用する際、畝に敷設された野菜栽培用マルチシートに穴あけ器本体を軽く押し当てると、押しバネの応力に基づく内部押え台座のシート押圧機能によりマルチシートが動かないように固定され、刃付円筒部を軽く回転させると、刃付円筒部下端の刃先の回転に基づく切断機能によりマルチシートに対してきれいに穴（開口部）をあけることができる。
【００１５】  ここで、内部押え台座の構造としては、下面が凹み円形状の周縁部が下向きに形成された椀状体を用いるのが好ましい。このような構造にすると、使用者が刃付円筒部を押しながら回転させたときに、マルチシートは、内部押え台座の周縁部でしっかりと押えられ、押さえられた直ぐ外側の部位が、刃付円筒部下端の刃先５の回転により円状にきれいに切断される。また、穴あけを終えて穴あけ器本体を持ち上げたときには、内部押え台座の周縁部による押圧が解除されるので、切断された円形のマルチシートの下面に土壌が付着するのを防止し畝表面に土壌を残しておくことができる。
【００１６】  この考案の一実施形態による野菜栽培用マルチシートの円形穴あけ器では、刃付円筒部及び内部押え台座を備えた穴あけ器本体に加えて、シート押圧機能及び定規機能を持つ外部押え具を併用することもできる。この場合は、まず、マルチシート上に外部押え具を載せ、次に、刃付円筒部を外部押え具に差し込む。そして、刃付円筒部及び外部押え具を軽く押すと、マルチシートは、内部押え台座及び外部押え具の押圧機能により、切断すべき部位の内側及び外側が動かないように固定され、刃付円筒部を軽く回転させると、刃付円筒部下端の刃先の回転により、マルチシートに対してよりきれいに穴（開口部）をあけることができる。また、一つの穴あけを終えると、穴あけを終えた穴（開口部）に隣接して外部押え具を載せ、同様の動作を繰り返すことにより、任意の等間隔で複数の穴（開口部）を順次あけて行くことができる。
【００１７】  以下、図面参照しつつ、この考案の一実施例による野菜栽培用マルチシートの円形穴あけ器について、より詳しく説明する。
【００１８】  図１は、この考案の一実施例による野菜栽培用マルチシートの円形穴あけ器における穴あけ器本体を示す斜視図であり、この穴あけ器本体は、主要素として、刃付円筒部１及び内部押え機構（２，３）を備えている。刃付円筒部１は、「カッター」或いは単に「円筒部」乃至「パイプ」とも呼ばれ、ステンレス鋼等の防錆鋼で製造された円筒状のパイプで作製され、マルチシートにあける穴（「開口部」ともいう）のサイズに応じた任意の径を有し、上下方向の長さは、使用者の取扱い易さに応じて任意のサイズにすることができる。このパイプ１の上端には、パイプ上端の開口を跨ぐように、帯状且つ金属製で剛性のある持ち手（把手、ハンドル）４が取り付けられており、持ち手４の跨ぎ方向の断面は、弓状、円弧状或いは「コ」の字状である。一方、パイプ１の円形の下端周縁は、適度な角度を付けた刃先（焼入れカッター部）５が形成され、刃先５には焼入れが施されている。そして、この円形穴あけ器の使用時には、持ち手４は、刃付円筒部１に対して使用者による押圧乃至回転操作部として機能し、刃先５は、マルチシートに対して、使用者の押圧乃至回転操作に基づき円形状に切断するカッター機能（切断機能）を有する。
【００１９】  内部押え機構は、内部押え台座２及びスイングシャフト３を主要素とし、内部押え台座２は、「カップ」、「椀状体」或いは「皿状体」とも呼ばれ、偏平なカップ、椀或いは皿の形状を呈しており、外径寸法がパイプ１の内径より若干小さく、パイプ１の内側に上下動可能に設置される。また、カップ２は、下面が凹んだ椀状を呈しており、周縁に下向きに形成されたカップ周縁部６は、「押え部」とも呼ばれ、この円形穴あけ器の使用時には、マルチシートに対して、切断しようとする部位の内側部分を押える内側押圧機能（単に「押圧機能」ともいう）を有する。つまり、カップ２の底部中央には、スプリング（「押しバネ」とも言う）が係合されたスイングシャフト３が回転可能に連結されており、このスプリングの反発作用によって、カップ２は、少なくともパイプ１内では、スイングシャフト３と共に下方向に押圧力が加えられるように設計されている。
【００２０】  図２は、この考案の一実施例による野菜栽培用マルチシートの円形穴あけ器における穴あけ器本体の内部押え機構を示す斜視図であり、内部押え機構のスイングシャフト３は、「上下可動軸」或いは単に「可動軸」とも呼ばれ、図２では、参照符号「１１」で表わされている。可動軸３は固定シリンダ（中空パイプ）７の中空部に上下動自在に嵌め込まれ、固定シリンダ７は、例えば、アルミニウム製である。固定シリンダ７の上端部は閉じられており、ここには、上向きに埋込みナット１０が形成され、刃付円筒部１の持ち手４には、ビス（ナット）を通す穴があけられる。つまり、この穴を通して鍋頭ビス（ナット、螺子）を上部の埋込みナット１０に螺合することにより、固定シリンダ７の上端部が刃付円筒部１の持ち手４の中央部にビス止めで固定される。また、固定シリンダ７には、可動軸１１の可動範囲を規制するために、軸心に対して対称的な２つの位置に、軸方向に延びる所定長の長孔が形成される。
【００２１】  これに対して、可動軸１１の下端部周縁には、所定の間隔で２つのＥリング固定溝が形成されており、カップ２の中心部に形成された円孔に可動軸１１の下端部を通し、カップ２の中央部を挟み込むように各Ｅリング固定溝に台座固定用Ｅリング９を挿入することによって、押え部６を備えたカップ２の中心部が可動軸１１の下端部に係合される。さらに、可動軸１１には、固定シリンダ７に連結するために、軸方向と垂直に割ピン８が取り付けられ、この割ピン８の両端部は、固定シリンダ７の長孔内を所定の範囲にわたって上下動可能に案内される。また、２つのＥリング固定溝の間隔は、カップ２の中心部の厚み寸法より若干の緩み（遊び）を持せており、カップ２が可動軸１１に対して自由に回動することができる遊嵌構造になっている。
【００２２】  図３は、この考案の一実施例による野菜栽培用マルチシートの円形穴あけ器における穴あけ器本体の内部押え機構の組立て方法を説明するための斜視図であり、図２の内部押え機構の構造を分解してより詳しく表わしたものであって、固定シリンダ７、割ピン８、台座固定用Ｅリング９、埋込みナット１０、スイングシャフト（可動軸）１１は、図３では、それぞれ、参照符号「１４」、「１５」、「１７」、「１６」、「１２」で表わされている。図示のように、固定シリンダ１４には、割ピン１５を所定の範囲にわたって上下動可能に案内する２つの長孔（長穴）１９が軸心に対して対称的に形成されており、可動軸１１の上下方向の所定箇所にはピン挿入孔があけられ、ピン挿入孔に割ピン１５を挿入することができる。
【００２３】  内部押え機構を組み立てるには、まず、固定シリンダ７の開口部を上にして、スプリング（押しバネ）１３及び可動軸１２を順次固定シリンダ１４内に挿入し、次いで、長孔１９の上端部（図３では左端部）からピン挿入孔が見える状態にして、割ピン１５を長孔１９及びピン挿入孔に挿通して可動軸１２に固定する。これにより、円形穴あけ器使用時には、カップ２がパイプ１内に位置し、スプリング１３の下端部は割ピン１５に接し、スプリング１３の上端部は、固定シリンダ１４の埋込みナット１６の下側内面に接するようになる。
【００２４】  図４は、この考案の一実施例による野菜栽培用マルチシートの円形穴あけ器における穴あけ器本体の内部押え機構要部の作成方法を説明するための斜視図であり、図３の内部押え機構の可動部分をより詳しく表わしたものであって、可動軸１２、台座固定用Ｅリング１７は、それぞれ、符号「２０」、「２２」で表わされ、符号「２３」は図１の内部押え台座（カップ）２を示している。可動軸２０は、ステンレス鋼等の防錆鋼製で断面が円形の鋼材で作製されており、図示のように、可動軸２０の軸心に直交してピン挿通孔２１があけられている。また、台座固定用Ｅリング２２には通常の規格品を使用することができる。さらに、カップ２３は、強化樹脂材或いはアルミニウム素材で作製され、カップ周縁部６の下面（図４では左側から見た面）は、ローレット加工が施されており、これにより、この穴あけ器の使用時には、カップ周縁部６がマルチシートにしっかりと接触してマルチシートをより安定に固定することができ、カップ周縁部６及びマルチシートに対して刃付円筒部１を軽く回転させるだけで、マルチシートに綺麗な穴を容易にあけることができる。
【００２５】  図５及び図６は、この考案の一実施例による野菜栽培用マルチシートの円形穴あけ器における外部押え具を、それぞれ、上側（表面側）及び下側（裏面側）から見た斜視図である。この円形穴あけ器を使用する際には、図５及び図６に示す樹脂製の外部押え具が、図１〜図４で説明した穴あけ器本体の外側に設置され、マルチシートの押え及び穴あけ間隔を一定にすることができる。この外部押え具は、図５に示すように、ほぼ矩形（正方形或いは長方形）で平板状の押え板部２４と、押え板部２４の中央から上方向に突出した短い円筒状の円筒差込み部とから成る。押え板部２４の中央に形成された円形の穴と円筒差込み部の内側に形成された穴とにより、刃付円筒部１を差し込むための円柱状の中心空洞部（中空部）２５が形成される。この中心空洞部２５の内径は、図１に示される刃付円筒部１が中心空洞部２５内に差し込まれ回転し易いように、刃付円筒部１の外径より僅かに大きく、径寸法に若干の緩みを持たせた構造になっている。
【００２６】  また、押え板部２４の外形（外径）寸法（サイズ）は、所望の穴あけ間隔に応じた長さに設定され、円形穴あけ器の使用時に、マルチシートに対して等間隔に穴あけをするための定規の機能を奏する。さらに、押え板部２４の下側（裏側）には裏側凸部２６が形成され、図示の例では、裏側凸部２６は、円形の内周部と、ほぼ矩形の外周部と、内周部と外周部の数箇所間を直線的且つ放射状に結ぶ複数本（例えば、８本）の骨部とが僅かに下向きに突出している。このような裏側凸部２６の構造により、平板状の押え板部２４の強度を補強する補強機能だけでなく、円形穴あけ器の使用時には、使用者が押え板部２４を軽く押さえただけで、マルチシートに対して、切断しようとする部位の外側部分を効果的に押圧する外側押圧機能を奏する。
【００２７】  この円形穴あけ器を使用する際、使用者は、図５及び図６に示した外部押え具を、畝上に敷かれたマルチシート上に載置し、図１の穴あけ器本体を外部押え具の空洞部２５に挿入し、穴あけ器本体及び外部押え具の双方を軽く押圧しながら穴あけ器本体を回転させるという手順により、マルチシートが切断され、適切な円形の穴（開口部）をあけることができる。その際、外部押え具は、穴あけ器本体と共にマルチシートを押圧し、裏側凸部２６の作用により確実にマルチシートが動かないようにすることができる。また、次に穴をあけるときは、直前にあけられた穴の周縁に接するように外部押え具を載置し、穴あけ器本体及び外部押え具を押圧しながら穴あけ器本体を左右に半回転させるという同様の手順を繰り返すことにより、順次、マルチシートに等間隔に穴あけをすることができる。この場合、穴あけをする中心間の間隔は、例えば、押え板部２４の概略的な外形が図４及び図５のように正方形であれば、「押え板部２４の一辺の長さの半分＋中空部２５の半径」となる。
【００２８】  図７は、この考案の一実施例による野菜栽培用マルチシートの円形穴あけ器の一使用態様を説明するための畝の上面図であり、図５に示される押え板部２４は符号「２８」で表わされ、符号「２７」はマルチシートを表わす。図７の状態は、この円形穴あけ器を使用して、マルチシート２７の下から１列目を左端から右端まで順に開口部２９をあけ、下から２列目の右端に開口部をあけた後、その左側に２番目の開口部をあけようとしているところを示している。この場合、直前にあけた２列目右端の開口部の左端３０及び１列目右から２番目の上端３０に、それぞれ、押え板部２８の二辺が接するように、外部押え具をマルチシート２７上に載置し、穴あけ器本体を差し込み回転させることにより次の開口部をあける。これにより、既述のように「押え板部２８の一辺の長さの半分＋中空部の半径」で一定間隔の開口部を連続して穴あけすることが可能となる。
【００２９】  なお、外形（外径）サイズの異なる外部押え具を複数用意しておき、栽培野菜の種類に対応した外形サイズの外部押え具を用いることにより、栽培しようとする野菜に適した間隔で開口部を作ることができる。また、同一外形サイズの外部押え具を複数用意しておき、直前の穴あけに利用した外部押え具に隣接して別の一外形サイズの外部押え具を新たに載置し、新たな外部押え具を用いての中心空洞部２５に穴あけ器本体を差し込んで次の開口部を作成するようにしてもよい。この場合、穴あけをする中心間の間隔は、例えば、押え板部２８の概略の外形が正方形であれば、「押え板部２８の一辺の長さ」となる。
【００３０】  図８は、この考案の一実施例による野菜栽培用マルチシートの円形穴あけ器の使用状態における断面概略図であり、内部押え機構の各部については、スイングシャフト（可動軸）を図２の参照記号「１１」で示し、固定シリンダ、割ピン、埋込みナット、台座固定用Ｅリングは、それぞれ、図３の参照記号「１４」、「１５」、「１６」、「１７」で示される。また、図８において、参照記号「１８」は内部押え台座（カップ）を表わし、参照記号「３１」は畝の土壌を表わし、参照記号「３２」は、持ち手４の穴を介して埋込みナット１６に螺合された鍋頭ビス（螺子）を表わす。
【００３１】  図８に従って、この考案の要点を説明すると、この考案の一実施例による野菜栽培用マルチシートの円形穴あけ器は、金属製の刃付円筒部１及び内部押え台座１８を備え、刃付円筒部１は、円形の下端周縁５に切断用焼き入れ刃加工が施されており、マルチシート２７に対して回転操作に基づく切断機能を有する。内部押え台座１８は、刃付円筒部１内に上下動可能に取り付けられ、刃付円筒部１内では上部から押しバネ１３により下向きの力が加えられようになっており、マルチシート２７に対し、刃先５により切断しようとする部位の内側部分を押圧する押圧機能（内側押圧機能）を有する。ここで、内部押え台座１８は、下面が凹んだ椀状を呈し、下向きに円形状の周縁部６を形成するように構成することが好ましい。この円形穴あけ器は、さらに、刃付円筒部１の外側に配置される外部押え具を備えるようにしてもよい。この外部押え具は、刃付円筒部１を配置するための中空部２５が矩形の板状体２４の中央に形成され、マルチシート２７に対し、刃先５により切断しようとする部位の外側部分を押圧する外側押圧機能、及び、等間隔で複数の穴あけを行うことを可能にする定規機能を有する。
【００３２】  このような円形穴あけ器を使用する際は、栽培しようとする野菜に適した畝３１を畑に作り畝３１の幅に合わせて無穴の野菜栽培用マルチシート２７を敷設し、畝３１に敷設されたマルチシート２７上に刃付円筒部１及び内部押え台座１８を載置し、刃付円筒部１を軽く押しながら回転させると、マルチシート２７は、刃付円筒部１の中に収められた押しバネ１３の応力に基づく内部押え台座１８のシート押圧機能によって、刃付円筒部１の内側に対応する円形の領域が押さえられた状態で、刃付円筒部１の回転に基づく刃先５のシート切断機能によって、押さえられた円形領域の直ぐ外側が円状に円滑に切断され、きれいな円形の穴（開口部）が形成される。
【００３３】  この場合、図示のように、内部押え台座１８として、下面が凹み円形状の周縁部が下向きに形成された椀状体を用いると、使用者が刃付円筒部１を押しながら回転させたときに、マルチシート２７は、内部押え台座１８の周縁部でしっかりと押えられると共に、押さえられた直ぐ外側が、刃付円筒部１の下端周縁にある刃先５の回転によって、円状にきれいに切断される。そして、穴あけを終えて円形穴あけ器を持ち上げたときには、切断された円形のマルチシート２７の下面に土壌３１は付着せず畝表面に残る。また、土壌３１が付着したとしても、内部押え台座１８の周縁部に対応する最外縁に僅かに付着するだけで、このように線状に付着した土壌３１は、穴あけ器本体を軽く振る等の方法で、容易に除去することができる。
【００３４】  このように、この円形穴あけ器は、刃付円筒部１及び内部押え台座１８を備えた穴あけ器本体のみを使用して、マルチシート２７に任意径の（開口部）を任意の間隔で円形の穴（開口部）を形成することができるが、さらに、図示のように、矩形の板状体２４の中央に、刃付円筒部１を配置するための中空部２５が形成された外部押え具（図５、図６）を用いて外側押圧機能及び定規機能を利用することができる。この場合、外部押え具を野菜栽培用マルチシート２７上に載置し、刃付円筒部１を中空部２５に差し込み、外部押え具を軽く押さえながら刃付円筒部１を軽く押し回すと、マルチシート２７は、内部押え台座１８の内側押圧機能及び外部押え具の外側押圧機能によって、刃付円筒部１の内側及び外側に対応する２つの領域が共に押えられた状態で、刃付円筒部１の刃先５の回転に基づくシート切断機能によって両領域の間の部分が円状にきれいに切断される。また、一つの穴あけを終えると、穴あけを終えた穴に隣接して、外部押え具をマルチシート２７上に載置した上、同様の作業を順次行うことにより、外部押え具の矩形サイズに見合った一定の間隔で複数の穴あけをすることができる。
【００３５】〔種々の実施態様〕
以上、図面を参照しつつ、この考案の好適な実施の一形態について説明したが、これは単なる一例であって、この考案は、考案の精神を逸脱しない範囲で種々の変更が可能である。例えば、畝に敷設された野菜栽培用マルチシートに最初に穴（開口部）をあけるときは、市販されているマルチシートには、中央部に基準となる白色印刷線があるので、白色印刷線を基準にして外部押え具を載置して、最初の穴を作成する。以後は、作成した穴に対して外部押え具を上下、左右に移動することにより、一定間隔の円形開口部を作ることができる。
【００３６】  刃付円筒部の径は、任意の寸法（サイズ）に設定することができる。また、これに伴い、外部押え具は、矩形の外径だけでなく、中空部の内径を任意の寸法（サイズ）に設定することができる。これにより、より多くの作物に適した穴あけを行うことできる。
【産業上の利用可能性】
【００３７】  マルチシート野菜栽培において、畝にマルチシートを敷設して苗等を定植する場合、野菜の種類や育成の方法等に応じて、マルチシートにあける穴の径や間隔を所望の長さに保つことが要求される。この考案は、このような要求を満足する野菜栽培用マルチシートの円形穴あけ器を提供する。
【符号の説明】
【００３８】１  穴あけ器本体の刃付円筒部（カッター、円筒部、パイプ）
２，１８，２３  穴あけ器本体の内部押え台座（カップ、椀状体）
３，１１，１２，２０  穴あけ器本体のスイングシャフト（［上下］可動軸）
４  穴あけ器本体の持ち手（把手、ハンドル）
５  刃先（焼入れカッター部）
６  カップ周縁部（押え部）
７，１４  スプリング内蔵型の固定シリンダ（中空パイプ）
８，１５  スプリング止め用の割ピン
９，１７，２２  台座固定用Ｅリング
１０，１６  固定シリンダ上部の埋込ナット
１３  スプリング（押しバネ）
１９  固定シリンダ側面の長孔（長穴）
２１  スイングシャフトのピン挿通孔
２４，２８  外部押え具の押え板部
２５  外部押え具の中心空洞部（中空部）
２６  裏側凸部
２７  マルチシート
２９  マルチシートに形成された開口部
３０  押え板部とマルチシート開口部の接点
３１  畝土壌
３２  鍋頭ビス（ナット、螺子）
【図１】
0003198510.tif 000003
【図２】
0003198510.tif 000004
【図３】
0003198510.tif 000005
【図４】
0003198510.tif 000006
【図５】
0003198510.tif 000007
【図６】
0003198510.tif 000008
【図７】
0003198510.tif 000009
【図８】
0003198510.tif 000010